(57)【特許請求の範囲】
【請求項１】
貸球排出及び賞球排出に共用される球排出手段と、
前記球排出手段から排出された遊技球が流入する遊技球通路とを具備し、
前記遊技球通路は、途中の分岐部において賞球通路と貸球通路とに分岐され、
前記分岐部には、前記賞球排出あるいは前記貸球排出の別に応じて前記賞球通路及び前記貸球通路のうちの一方を開放し他方を閉塞する通路切換手段が設けられ、
前記通路切換手段は、前記賞球排出のときに前記賞球通路を開放するとともに前記貸球通路を閉塞し、前記貸球排出のときに前記賞球通路を閉塞するとともに前記貸球通路を開放するように、通路切換駆動手段によって駆動されるようになっており、
前記賞球通路には、前記賞球排出された遊技球を検出する賞球カウントスイッチが設けられ、
前記貸球通路には、前記貸球排出された遊技球を検出する貸球カウントスイッチが設けられてなる弾球遊技機において、
入賞口への遊技球の入賞に基づき前記賞球排出の要求を行う主制御部と、
前記主制御部からの賞球排出の要求及び球貸ボタンの押下による前記貸球排出の要求を受ける枠制御部と、
前記枠制御部に設けられる枠状態表示器とを備え、
前記枠制御部は前記賞球排出の要求を受けると、前記球排出手段を駆動して要求された賞球数に応じた遊技球の排出を実行し、前記主制御部は前記賞球カウントスイッチで検出された遊技球の数に基づいて要求通りの数の賞球が排出されたか否かを確認し、
前記枠制御部は前記貸球排出の要求を受けると、前記球排出手段を駆動して要求された貸球数に応じた遊技球の排出を実行し、前記貸球カウントスイッチで検出された遊技球の数に基づいて要求通りの数の貸球が排出されたか否かを確認し、
前記枠制御部が前記要求された貸球数に応じた遊技球の排出を実行した際に、該排出された遊技球を前記賞球カウントスイッチが検出すると、前記主制御部は通路切換駆動手段異常コマンドを前記枠制御部に送信し、前記枠制御部は前記通路切換駆動手段異常コマンドの受信に基づき前記枠状態表示器で通路切換駆動手段異常表示を行い、
前記枠制御部が前記要求された賞球数に応じた遊技球の排出を実行した際に、該排出された遊技球を前記貸球カウントスイッチが検出すると、前記枠制御部は前記枠状態表示器で通路切換駆動手段異常表示を行うことを特徴とする弾球遊技機。
【発明の詳細な説明】
【０００１】
【発明の属する技術分野】
本発明は、弾球遊技機、詳しくは、ＣＲ機或は現金機として用いられる弾球遊技機の改良に関する。
【０００２】
【従来の技術】
現在、パチンコ遊技機等の弾球遊技機には、遊技者への球貸にプリペイドカードを用いるもの（ＣＲ機）と、現金を用いるもの（現金機）とが在る。これらのうちＣＲ機においては、球貸及び賞球排出のための遊技球の移送がともに内部で行われ、移送された遊技球は共通の排出口から上皿に供給されるのが一般的である。
また、この種の弾球遊技機には、遊技球の移送のために球排出装置を備えるとともに、この球排出装置を球貸と賞球排出とに共用して構造の簡素化を図ったものがある。そして、球排出装置は、単位貸球数（例えば２５個）や単位賞球数（例えば６個、１５個など）に基づいて制御指令を受けて、必要な数の球排出を行っている。
ところで、遊技店においては種々の計数管理が行われており、弾球遊技機から得られる計数情報が遊技店の経営管理や集客等に利用されている。そして、正確な計数管理のためには、弾球遊技機の稼動状態を可能な限り詳細に把握することが必要である。したがって、貸球数や賞球数も別個に把握できることが望ましいが、これらを正確に検出するためには、球貸経路と賞球経路とを別系統で配設し、それぞれに球排出装置を配設しなければならず、構造及び制御等に大幅な変更が必要となる。
【０００３】
【発明が解決しようとする課題】
そこで、本発明は、球貸経路と賞球経路の構成を複雑化することなく、貸球数及び賞球数を正確に把握することが可能な弾球遊技機を提供することを課題とする。
【０００４】
【課題を解決するための手段】
上記課題を解決するため、請求項１記載の発明は、貸球排出及び賞球排出に共用される球排出手段と、前記球排出手段から排出された遊技球が流入する遊技球通路とを具備し、前記遊技球通路は、途中の分岐部において賞球通路と貸球通路とに分岐され、前記分岐部には、前記賞球排出あるいは前記貸球排出の別に応じて前記賞球通路及び前記貸球通路のうちの一方を開放し他方を閉塞する通路切換手段が設けられ、前記通路切換手段は、前記賞球排出のときに前記賞球通路を開放するとともに前記貸球通路を閉塞し、前記貸球排出のときに前記賞球通路を閉塞するとともに前記貸球通路を開放するように、通路切換駆動手段によって駆動されるようになっており、前記賞球通路には、前記賞球排出された遊技球を検出する賞球カウントスイッチが設けられ、前記貸球通路には、前記貸球排出された遊技球を検出する貸球カウントスイッチが設けられてなる弾球遊技機において、入賞口への遊技球の入賞に基づき前記賞球排出の要求を行う主制御部と、前記主制御部からの賞球排出の要求及び球貸ボタンの押下による前記貸球排出の要求を受ける枠制御部と、前記枠制御部に設けられる枠状態表示器とを備え、前記枠制御部は前記賞球排出の要求を受けると、前記球排出手段を駆動して要求された賞球数に応じた遊技球の排出を実行し、前記主制御部は前記賞球カウントスイッチで検出された遊技球の数に基づいて要求通りの数の賞球が排出されたか否かを確認し、前記枠制御部は前記貸球排出の要求を受けると、前記球排出手段を駆動して要求された貸球数に応じた遊技球の排出を実行し、前記貸球カウントスイッチで検出された遊技球の数に基づいて要求通りの数の貸球が排出されたか否かを確認し、前記枠制御部が前記要求された貸球数に応じた遊技球の排出を実行した際に、該排出された遊技球を前記賞球カウントスイッチが検出すると、前記主制御部は通路切換駆動手段異常コマンドを前記枠制御部に送信し、前記枠制御部は前記通路切換駆動手段異常コマンドの受信に基づき前記枠状態表示器で通路切換駆動手段異常表示を行い、前記枠制御部が前記要求された賞球数に応じた遊技球の排出を実行した際に、該排出された遊技球を前記貸球カウントスイッチが検出すると、前記枠制御部は前記枠状態表示器で通路切換駆動手段異常表示を行うことを特徴としている。
【０００５】
【発明の実施の形態】
［第１実施形態］
本発明の実施形態の弾球遊技機として、いわゆるフィーバー機とも呼ばれるタイプの第１種パチンコ機を挙げて、その構造を図１〜図６を参照して説明する。なお、価値媒体として貨幣価値媒体と交換されるプリペイドカード（事前支払価値媒体）を必要とするＣＲ機１と、価値媒体として例えば現金等の貨幣価値媒体を必要とする現金機１’とについて、初めにそれぞれ全体構成の共通部分を説明し、後に非共通部分を説明する。
＜パチンコ機１の表面構造＞
図１に示すパチンコ機１の表面構造を説明すると、パチンコ機１は遊技機枠１ａと遊技盤２４（図２参照）とに大きく分けられる。このうち遊技機枠１ａにおいては、裏面にガラス板が嵌められた前面枠２が中枠３に開閉可能に軸着され施錠装置５により開閉可能となっており、また、この中枠３が本体枠４に開閉可能に軸着されている。中枠３の下方には、上皿６及び下皿７が配置されている。上皿６及び下皿７には、それぞれに、パチンコ機１の内部から遊技球を排出するための排出口６ａ，７ａがそれぞれ開口している。上皿６には複数の長孔を有するスピーカ面８が設けられており、その裏側には遊技状態に応じた効果音を発生するスピーカ９が装着されている。上皿６の上表面の右側には、プリペイドカードの残高表示とエラー表示を行う表示部と、遊技球の貸球を行う球貸ボタン、カード返却ボタン等各種操作ボタンとを有する操作パネル１０が配置されている。下皿７には、上皿６から供給される遊技球を遊技領域２５（図２参照）に発射するための発射装置ユニット１０７（図３参照）を操作する発射ハンドル１１が設けられている。この発射ハンドル１１には遊技者がタッチしていることを検出するタッチスイッチ１１ａが装着され、発射ハンドル１１の近傍には発射停止を一時的に指令する発射停止スイッチ１１ｂが設けられている。
前面枠２の上部には、枠飾りランプ１２，１３，１４，１５が設けられ、これらに対応して、枠飾りランプ基板１６が設置されている。それらの左側上方には、賞球表示ＬＥＤ１７及び賞球表示ＬＥＤ基板１８が、右側上方にはストップ表示ＬＥＤ１９及びストップ表示ＬＥＤ基板２０が位置しており、これらは中枠３に装着されている。スピーカ面８の左方裏側に音量スイッチ基板２１が設けられている。更にパチンコ機１の左側にプリベイドカードユニット２２が装着されている。また、中枠３の表側の左辺上部には、前面枠２の開閉を検知するドアスイッチ２３が設けられている。さらに、図示は省略するが、上皿６の背面側には、遊技球を上皿６から発射位置に１個ずつ供給する発射装置ユニット１０７（図３参照）が装着されている。また、本実施形態においては、スピーカ９は効果音のみでなく、警報音を発するブザーとしても兼用されている。
さらに、下皿７の排出口７ａの内部には下皿満タンスイッチ７ｂが設けられており、この下皿満タンスイッチ７ｂは下皿７内の遊技球量が過度に増えた場合にＯＮにする。
【０００６】
＜遊技盤２４の構造＞
図２に示す遊技盤２４の構造を説明する。遊技盤２４の遊技領域２５の中央部に大形の枠体でなるセンター役物２６が設けられている。このセンター役物２６は、上部中央に普通図柄表示装置２７、左通過口２８及び右通過口２９、左右両側に左普通図柄作動ゲート３０及び右普通図柄作動ゲート３１が設けられている。センター役物２６の開口部には１０インチサイズの液晶表示盤３２を含み構成された特別図柄表示装置３３が設けられている。液晶表示盤３２には左図柄表示領域３４、中図柄表示領域３５、右図柄表示領域３６が設定されている。センター役物２６の左右下部両側に左通過口出口３７及び右通過口出口３８が設けられている。
センター役物２６の下方に条件装置として動作する、アタッカーとも呼ばれる大入賞装置４０が配置されている。この大入賞装置４０は、その上部中央に第１種始動口（普通電動役物）４１、その下側に大入賞口開閉シャッタ３９、特定領域開閉シャッタ４２、特定領域４３、特定領域外領域４４、及び大入賞口４５を備えている。特別遊技状態において、大入賞口開閉シャッタ３９が開き、１つの入賞球が特定領域４３に入ると、特定領域開閉シャッタ４２が閉じ、その他の入賞球は特定領域外領域４４に導かれる。大入賞口４５への入球数が９個に達するか、或いは大入賞口開閉シャッタ３９の開放時間が約３０秒に達すると、大入賞口開閉シャッタ３９が閉じる。
大入賞装置４０の左右には、左下入賞口４６及び右下入賞口４７が設けられている。大入賞装置４０の上部左右に左入賞口４８及び右入賞口４９が配置されている。大入賞装置４０の下側領域にアウト口５０、アウト口飾り５１及びバック球防止部材５２が設けられている。遊技領域２５を区画形成する外レール５３、内レール５４、ファール球防止部材５５及び返しゴム５６が遊技盤２４に設けられている。
【０００７】
＜パチンコ機１の裏側構造＞
パチンコ機１の裏側構造を図３を参照して説明する。中枠３は本体枠４にヒンジ６０により開閉自在に支持されている。中枠３に背面側から遊技盤２４が着脱自在に固定されている。中枠３にはヒンジ６１により機構盤６２が着脱自在に固定されている。この機構盤６２の上部左側に、遊技球の荷重の有無によって遊技球の有無を検知するタンク球切れ検知スイッチ６３を有する賞球タンク６４が備えられており、賞球タンク６４の下方にはタンクレール６５が装着されている。このタンクレール６５の右端に球抜きレバー６６が設けられている。タンクレール６５は図６（ａ）に示す通り２条レールである。
【０００８】
図４に示す通り、機構盤６２は、中央部に角型の開口部６７を備え、その右側に、タンクレール６５の右端部下部から上皿導入口６８、下皿導入口６９に到る球流下部７０（後述する）を備えている。
【０００９】
図３に戻り、タンクレール６５の下側に特別図柄表示装置３３を格納した裏蓋１０２、又、裏蓋１０２の下側に主制御部１４０が各々設けられている。主制御部１４０はユニット化されたもので、機構盤６２の下側の部位に外付けされている。主制御部１４０の左側に発射装置制御部１０３、発射制御集合中継基板１０６が各々設けられている。発射装置制御部１０３には、タッチ感度調整つまみ１０４、球飛び強弱調整つまみ１０５が設けられている。機構盤６２の左下側に発射装置ユニット１０７が設けられている。
機構盤６２の右側に枠状態表示器１０８を備えた枠制御部１５０が設けられている。枠状態表示器１０８は、補給球詰まり、下受け皿満タン、主電源電圧異常、発射停止、主基板通信異常、球排出モータ異常などを７セグメントＬＥＤ表示器を用いて表示するものである。枠制御部１５０は主制御部１４０の右下に位置している。
機構盤６２の右上隅部に分電部１１０、外部情報端子部１１１、ランプ中継部１１２が配置されており、これらのうちランプ中継部１１２には、表示ランプ中継部１１３と効果ランプ中継部１１４とが設けられている。また、機構盤６２の左下隅部には、集中電源部１６０（図４参照）が配置されている。この集中電源部１６０は、主制御部１４０の左下に位置している。
枠制御部１５０から接続ケーブル１１５が上方に延び出し、電源ケーブル１１６を備えたプリぺイドカードユニット２２に接続されている。機構盤６２の下側に下皿用球通路部材１１８が設けられている。
【００１０】
なお、図４の機構盤６２の右側面の下端側には、枠制御部１５０に備えられた押圧式のリセットスイッチ１１９が露出しているが、このリセットスイッチ１１９としては一般的な自動復帰式の手動スイッチが採用されており、さらに、その外形寸法は機構盤６２の外形寸法に比べて極く小さいため、ここでは配置のみを符号（数字）と引出線で示し、詳細な説明は省略する。
また、上述した以外の構成についても一般的なものが採用されているため、ここではそれらの図示や詳細な説明は省略する。
【００１１】
図５（ａ），（ｂ）に示すように、球流下部７０には、上流側通路７１、賞球通路７３、及び、球貸通路７４が形成されるとともに、球排出装置９９が装着されている。上流側通路７１、賞球通路７３、及び、球貸通路７４は、図５（ｂ）に一部省略して示すようにいずれも２条の樋であり、機構盤６２の前後方向に区画された第１及び第２の通路（７１ａ，７１ｂ，７３ａ，７３ｂ，７４ａ，７４ｂ）からなる。
上流側通路７１は屈曲しており、その上端は、タンクレール６５の右端下部に開口した球流出口８５に接続されている。また、上流側通路７１の上端部近傍には、接触式の補給球切れ検知スイッチ８６、及び、球切れスイッチレバー９０が配設されている。球切れスイッチレバー９０は上流側通路７１の一部を構成するとともに、上端部を支点として弾性的に揺動可能である。そして、球切れスイッチレバー９０は、常開式の補給球切れ検知スイッチ８６に隣接しており、その揺動によって補給球切れ検知スイッチ８６をＯＮ／ＯＦＦする。
なお、本実施形態においては、球切れスイッチレバー９０の弾性的動作のためにねじりコイルばねが用いられているが、その他のコイルばね（引張或は圧縮等）や板ばねなどの一般的な種々の弾性部材の採用が可能である。
また、本実施形態においては、球切れスイッチレバー９０及び補給球切れ検知スイッチ８６は、各通路７１ａ，７１ｂ毎に別個に設置されており、各通路７１ａ，７１ｂの遊技球の有無は個別に検出される。なお、球切れスイッチレバー９０及び補給球切れ検知スイッチ８６を第１及び第２の通路７１ａ，７１ｂのいずれか一方のみに設けてもよい。
【００１２】
前記賞球通路７３及び球貸通路７４は、各々上下に直線状に形成されており、互いにほぼ平行に延びている。また、賞球通路７３には賞球カウントスイッチ７８が装着されており、球貸通路７４には球貸カウントスイッチ７９が装着されている。各スイッチ７８，７９は溝形の非接触式センサであり、各通路７３，７４に一体に形成されたスイッチ装着部７８ａ，７８ｂ，７９ａ，７９ｂのそれぞれに収容されている。各スイッチ装着部７８ａ〜７９ｂは、各スイッチ７８，７９を受入れる空間を確保するため、各通路７３，７４の外側に張り出している。なお、各スイッチ７８，７９として磁気式のものが採用されているが、この他に光学式等の一般的な種々の遊技球検出スイッチの採用が可能である。
上記球排出装置９９は、直方体状のケース７７内に、球排出モータ８０、球送り部材７６、及び、球排出装置センサ基板９６を収容している。球排出モータ８０は正逆回転可能なステッピングモータであり、前述の主制御部１４０及び枠制御部１５０の指令に基づいて動作する。球排出装置センサ基板９６には、図示を省略するが、一対の投光器と受光器とを有する光センサが装着されている。
また、ケース７７には遊技球通路７５が形成されており、この遊技球通路７５の上端部は上流側通路７１に連通している。また、遊技球通路７５は途中の分岐部７２において二方向に分岐しており、賞球通路７３及び球貸通路７４に連通している。つまり、ケース７７の上部には２つの入口が開口し、下部には４つの出口が開口している。そして、上流側通路７１、遊技球通路７５、及び、賞球通路７３と球貸通路７４によって、下流側へ二股に分かれる球流下通路が形成されている。
上記球送り部材７６は合成樹脂の一体成形品であり、球排出モータ８０の出力軸に装着されている。さらに、球送り部材７６は、中空なシャフト８１の外周に遊技球移送用の歯車８２，８３と回転量検出用の歯車（スプロケット）８４とを有しており、これらの歯車８２，８３，８４はシャフト８１の基端側から先端側へ、回転量検出用の歯車８４、遊技球移送用の歯車８２，８３の順で配設されている。そして、これらの歯車８２，８３，８４は、球排出モータ８０の駆動に伴って一体に回転する。
【００１３】
移送用の歯車８２，８３は、遊技球通路７５の分岐部７２において、第１の通路７２ａ及び第２の通路７２ｂの中にそれぞれ位置している。また、両歯車８２，８３は同数の歯を同ピッチで有しており、歯間の凹部は遊技球（一般に直径約１１ｍｍ）を受入れることができる程度の大きさに設定されている。さらに、両歯車８２，８３の間には位相差が設定されている。
また、回転量検出用の歯車８４の歯は等しいピッチで形成されており、その歯数は移送用の歯車８２，８３よりも多く設定されている。そして、回転量検出用の歯車８４は球排出装置センサ基板９６に対し、歯車８４の回転に伴ってその歯の各々が前述の光センサの光を間欠的に遮る位置関係にある。
【００１４】
球流下部７０の右側には球抜き通路１２０が形成されており、この球抜き通路１２０はタンクレール６５の下流側端部から分岐している。また、球流下部７０の下流領域には、上皿導入口６８、下皿導入口６９を備えた振分け部１０１（図３及び図４参照）が設けられている。上皿６に通じる上皿導入口６８、及び下皿７に通じる下皿導入口６９が互いに隣接して開口している。上皿６には上皿賞球が供給され、上皿６が満杯になると下皿賞球を下皿７に溢流させて、賞球を振り分ける。
【００１５】
＜電力の供給＞
次にパチンコ機１における電力供給について図１１、図１２を参照して説明する。パチンコ機１は、電源７００からの電力供給を、機構盤６２に設けられた分電部１１０を介して集中電源部１６０に受ける。図１２に示す通り、この集中電源部１６０は第１〜第３の電源部７１０，７２０，７３０とバックアップ電源部７４０とを備え、第１〜第３の電源部７１０，７２０，７３０は、電源７００のＡＣ２４Ｖの電圧を、それぞれ、ＤＣ＋１２Ｖ、ＤＣ＋５Ｖ、ＤＣ＋２４Ｖの電圧に変換する。図１１に示す通り、主制御部１４０、枠制御部１５０、発射装置制御部１０３、特別図柄制御部１４５には、集中電源部１６０から、それぞれＤＣ＋１２Ｖ、ＤＣ＋５Ｖの電力が別個に供給される。また、プリペイドカードユニット２２にはコネクタ７７０を介してＤＣ＋２４Ｖの電力が供給される。ＤＣ＋１２Ｖは主にソレノイドやモータ等の駆動部品に用いられ、＋ＤＣ５Ｖはそれらより相対的に微弱な電力として主に各種ＩＣ等の電子部品に用いられる。
なお、特別図柄制御部１４５は、主制御部１４０からの指示に基づいて、特別図柄表示装置３３を制御するものである。
【００１６】
こうした構成により、各制御部１０３，１４０，１４５，１５０に電源回路部を設ける必要がなくなり、それらの各制御部が個々の電源回路部を原因とするノイズの影響を受けにくくなる。これにより、それら各制御部における異常の発生を防止でき、より安定した制御が可能になる。また、各制御基板上に、従来、電源回路部に用いられていた比較的大型の電子部品（ヒートシンク付電子部品、電源回路用コンデンサ、電源回路用レギュレータ等）を実装する必要がなくなり、各制御基板の外形寸法を小とすることができる。
さらに、各制御部１０３，１４０，１４５，１５０へ必要な電力を供給する集中電源部１６０がバックアップ電源部７４０を備えることで、短期的或いは瞬間的な停電、制御の暴走などが生じても、各制御部のＲＡＭ等に記憶されたデ−タを補償できる利点がある。
【００１７】
なお、図１１、図１２の例ではＤＣ＋５Ｖの電力が集中電源部１６０から各制御部１０３，１４０，１４５，１５０に供給されるが、一般に電力（電圧と電流の積である）が微弱であるほど伝送経路中での損失の影響が大となることから、図１３に示す通り、上述の変更形態として、集中電源部１６０と分散電源部１６１とを設け、ＤＣ＋５Ｖの電力の生成を各制御部１０３，１４０，１４５，１５０で行ってもよい。こうすることにより、伝送経路中での損失による悪影響の発生を防止できる。図１３中の他の構成要素の番号は、図１２の番号と同一符号とし、説明は準用する。
【００１８】
こうした利点は、次の通りの背景から生じたものである。即ち、従来、電力を供給する構成として、図１４に示す通り、電源回路は各制御部と一体に構成されたものが一般的である。例えば、主制御基板５４０ａには、配線パターン（図示略）がプリントされ、ＣＰＵ５０３、ＲＯＭ５０２、各種ＩＣ５０４等の電子デバイス、抵抗器５０５、コンデンサ５０６、ヒートシンク付電子部品５０７、５０８、各種コネクタ５０９等の様々な電気部品が実装され、さらに、第１の電源回路用コンデンサ５１０ａ，５１０ｂ，５１０ｃ、第２の電源回路用コンデンサ５２０ａ，５２０ｂ，５２０ｃ、電源回路用レギュレータ５３０ａ，５３０ｂから構成された電源回路部５５０が実装されている。
また、図１５に示す通り、発射装置制御部６０３は、ケース６０１と、ケース６０１に着脱自在に取り付けできるカバー６０２とによって保護されたもので、電源回路用レギュレータ６０４と、電源回路用コンデンサ６０５とを備えた電源回路部６５０が設けられた発射装置制御基板６０３ａとを有する。
以上の通りの従前の構造では、電源回路部５５０，６５０が各制御部と一体に構成されていることから、各制御部が電源回路部５５０，６５０を原因とするノイズの影響を受け易くなる。また、電源回路部５５０，６５０には、各種ＩＣ等の電子部品よりも大電力が供給されるため、電源回路部５５０，６５０を構成する部品は、比較的大型である。このため、各制御基板の外形寸法が大きくなり易い。
なお、説明は省略するが、特別図柄制御部１４５や枠制御部１５０等にも同様な背景がある。
【００１９】
＜ＣＲ機の球排出動作＞
以上説明した本実施形態の動作を、図３、図４、図５（ａ），（ｂ）、図６及び、図８を用いて説明する。
遊技球は、賞球タンク６４、タンクレール６５を経て、球流下部７０に供給される。球流下部７０において遊技球は、上流側通路７１の屈曲した経路を辿り、球切れスイッチレバー９０を押圧しながら流下する。球切れスイッチレバー９０は、球経路中に遊技球が存在する場合には、遊技球により押圧されて弾性的に回動変位し、補給球切れ検知スイッチ８６をＯＮにする。また、球切れスイッチレバー９０は、遊技球からの押圧力から解放された場合には、ねじりコイルばねの復元力を利用して元の位置に戻り、補給球切れ検知スイッチ８６をＯＦＦする。この球切れスイッチレバー９０の動作を利用して、上流側通路７１における遊技球の有無が検出される。
上流側通路７１を通過した遊技球は球排出装置９９に達し、遊技球通路７５に流入して移送用の歯車８２，８３に接する。一方の歯車８２（又は８３）においては遊技球が歯の間に進入し、他方の歯車８３（又は８２）においては遊技球が歯上に載置される。さらに、後続の遊技球は先行の遊技球上に載置され、先行の遊技球の上に順に堆積する。
この際、上流側通路７１が屈曲しているため、上流側通路７１に堆積した遊技球の重量は多方向に分散され、歯車８２，８３に過度の負荷が作用することが防止されている。また、上流側通路７１の長さは、歯車８２，８３から球切れスイッチレバー９０までの間の遊技球数が２５個以上となるよう設定されている。この個数は単位貸球数（単位球貸金額（ここでは１００円）を球単価（ここでは４円）で除した値）に一致している。
賞球排出が行われる場合には、球排出装置９９の球排出モータ８０は、枠制御部１５０により正転駆動され、歯車８２，８３が図５（ａ）の反時計回りに回転する。歯車８２，８３の回転に伴い、遊技球は賞球通路７３の側へ移送され、歯車８２，８３から解放されて賞球通路７３に放出される。放出された遊技球は、賞球通路７３に沿って落下し、賞球カウントスイッチ７８を通過して個々に検出される。そして、これらの遊技球は、球流下部７０から流出して振分け部１０１に到り、上皿６に放出される。
球排出モータ８０の回転量は、入賞の態様に応じて払い出されるべき単位賞球数（ここでは６個、１０個、１５個の３種類）に基づいて決定される。また、歯車８２，８３に位相差が設定されているため、遊技球の排出は第１及び第２の通路間で交互に行われる。したがって、二つの通路７３ａ，７３ｂについての合計で奇数個の排出も可能である。
さらに、球排出モータ８０の回転量は、移送用の歯車８２，８３と一体に形成された回転量検出用の歯車（スプロケット）８４を利用して検出される。すなわち、球排出モータ８０の駆動に伴って、回転量検出用の歯車（スプロケット）８４の歯が前述の光センサの光を遮り、光センサの出力を変化させるため、通過した歯数と歯のピッチとを参照することにより回転量が算出される。この回転量の検出結果は、球排出モータ８０の動作確認や、球排出異常の判断などに利用される。
【００２０】
図８は上述の賞球排出動作のための制御手順を示している。なお、本実施形態のパチンコ機１においては、他の一般的なものと同様に、制御の安定化等を目的として所定周期（例えば約２ｍｓ）毎の割込リセットが行われているが、図８（後述の図９，図１７，図１８も同様）のフローチャートは、制御手順の概略的な把握を容易にするため、割込リセット実行に必要な手順を省略して記載されている。
先ず、主制御部１４０が入賞球を検知すると（Ｓ１０）、賞球数情報を枠制御部１５０へ送信し（Ｓ１２）、所定数の賞球の排出を要求する。枠制御部１５０は、主制御部１４０から要求された賞球数に応じて、球排出モータ８０を正転させる（Ｓ１４）。排出された賞球は賞球カウントスイッチ７８によって検出され（Ｓ１６）、検出結果が主制御部１４０へ送られる（Ｓ１８）。主制御部１４０は、賞球カウントスイッチ７８の計数値に基づいて、要求通りの数の賞球が排出されたか否かを確認し（Ｓ２０）、処理を終了する。枠制御部１５０も排出数を確認し、排出数が主制御部１４０からの要求数に対して不足している場合（Ｓ２２：ＹＥＳ）は、枠制御部１５０は球排出モータ８０を再試行動作させ（Ｓ２４）、不足分の賞球排出を行い、処理を終了する。排出数が主制御部１４０からの要求数に対して充足している場合（Ｓ２２：ＮＯ）は、そのまま処理を終了する。
【００２１】
一方、球貸が行われる場合には、球排出装置９９の球排出モータ８０が逆転され、歯車８２，８３が図５（ａ）の時計回りに回転する。歯車８２，８３の回転に伴い、遊技球は球貸通路７４の側へ移送され、歯車８２，８３から解放されて球貸通路７４に放出される。放出された遊技球は、球貸通路７４に沿って落下し、球貸カウントスイッチ７９を通過して個々に検出される。そして、これらの遊技球は、賞球排出の場合と同様に、球流下部７０から流出して振分け部１０１に到り、上皿６に放出される。
球貸の場合の球排出モータ８０の回転量は、単位貸球数（ここでは２５個）に応じて決定される。さらに、１００円分を越える球貸が行われる場合には、２５個の球貸を一単位とした複数単位の球貸が行われる。
なお、賞球排出及び球貸の制御は、主制御部１４０や前記遊技機枠１ａ各部などを参照して行われる。また、球貸処理は賞球排出処理に優先して行われる。そして、例えば複数の入賞球が記憶されるとともに、記憶された入賞球に対応する賞球排出が行われている最中に球貸の必要が生じた場合には、単位賞球数の賞球排出が終了した後に球貸が実行され、球貸完了後に、残りの入賞球に対応する賞球排出が再開される。
【００２２】
図９は上述の貸球排出動作のための制御手順を概略的に示している。
すなわち、操作パネル１０の球貸ボタンが押下されると（Ｓ３０）、枠制御部１５０が球貸要求を受信する（Ｓ３２）。枠制御部１５０は、２５個の貸球が排出されるよう、球排出モータ８０を逆転させる（Ｓ３４）。排出された貸球は球貸カウントスイッチ７９によって検出され（Ｓ３６）、枠制御部１５０は球貸カウントスイッチ７８の計数値に基づいて、要求通りの数の貸球が排出されたか否かを確認する（Ｓ３８）。検出された貸球数が２５個に満たない場合には（Ｓ４０：ＹＥＳ）は、枠制御部１５０は球排出モータ８０を再試行動作させ（Ｓ４２）、不足分の貸球排出を行い、処理を終了する。例えば５００円分の球貸が行われる場合は、上述の動作が５回繰返される。検出された貸球数が２５個以上の場合には（Ｓ４０：ＮＯ）は、処理を終了する。
【００２３】
＜現金機の具体例と動作＞
次に、本実施形態のパチンコ機１を現金機１’として用いた場合の具体例の要部を、図５（ｃ）を用いて説明する。なお、図５（ａ）と重複する部分については同一番号にダッシュを付してその説明は省略するとともに、新たな構成要素については新たな番号を付す。
パチンコ機１’を現金機として使用する場合には、貸球は上皿６’に機外から直接供給されるため、球流下部７０’の貸球通路７４’を使用する必要がない。したがって、貸球通路７４’のスイッチ装着部７９ａ’，７９ｂ’にストッパ蓋８８が装着され、貸球通路７４’が封鎖されている。ストッパ蓋８８は、ＣＲ機の場合に用いられる貸球カウントスイッチ７９（図５（ａ）参照）とほぼ同じ外形寸法を有する厚板状の合成樹脂体であり、貸球カウントスイッチ７９のような球通過孔を有していない。そして、このストッパ蓋８８は、遊技球検出の機能を有していない。
また、球排出モータ８０の回転制御は正転のみに制限され、逆転方向の回転制御は行われない。つまり、球排出モータ８０は賞球排出にのみ使用され、排出後の遊技球の検出も賞球についてのみ行われる。なお、パチンコ機１’の大当り動作等、他の動作については周知であるから説明は省略する。
【００２４】
＜第１実施形態の効果＞
以上の通り説明した本実施形態によれば、次の効果が生じる。即ち、球排出装置９９が、遊技球を賞球或は貸球の別に応じて異なる方向に排出するので、賞球と貸球を明確に区別することができ、賞球と貸球の正確な検出が可能になる。また、球排出装置９９から前段の部位における遊技球の経路を一つとすることができるとともに、球排出装置９９を賞球排出と貸球排出とに共用できるので、遊技球経路や遊技球の移送のための手段等を個別に複数組備える必要がない。したがって、機構盤６２の構造の大幅な複雑化や変更を伴うことなく、貸球数及び賞球数を正確に把握することが可能になる。
また、球排出に関する制御手順の変更、及び、貸球カウントスイッチ７９とストッパ蓋８８との交換により、ＣＲ機及び現金機の間の変更が可能であるので、用途の変更が容易である。なお、本実施形態のパチンコ機１，１’の用途の変更（及び決定）は、製造時或はその後（例えば、改造時等）のいずれにおいても可能である。
【００２５】
＜球排出装置９９ａの変更形態＞
図１０（ａ）の球排出装置９９ａの変更形態に強制球排出手段９１ａが設けられている。この強制球排出手段９１ａは、球排出モータ８０に連結されるとともにケース７７の前側部の外側前面から前方に突出したダイヤル９２を備えている。本変更形態では、操作者がダイヤル９２の回転量と排出される遊技球数との対応を認識し易いよう、所定量ずつの間欠回転が可能なダイヤル９２が採用されている。このダイヤル９２は特定の場合に有効化され、例えば手指の操作により球送り部材７６と一体に回転する構造である。ダイヤル９２が反時計回り方向に回転すると、回転量に応じた個数の遊技球が球排出装置９９から賞球通路７３の側へ排出され、時計回り方向に回転させると貸球通路７４の側へ排出されるようになっている。
例えば、賞球カウントスイッチ７８により検出された賞球数が主制御部１４０から枠制御部１５０へ要求された賞球数に達せず、異常が発生した場合に、遊技店の関係者等がダイヤル９２を操作し、不足分の賞球を強制的に排出する。そして、賞球のカウント値が要求数と一致すると、遊技機枠１ａが異常状態から通常状態に復帰し、通常の遊技が可能になる。
このように強制球排出手段９１ａを設けることにより、球排出に異常が生じた場合に遊技球を補足して排出でき、より適正な球排出が可能となる。また、主制御部１４０から枠制御部１５０へ不足分の賞球の排出要求を行うことなく、通常状態への復帰を行うことが可能になる。したがって、１つの入賞に対して複数回の賞球排出要求を行うことが不要であり、一度の要求のみに基づいて賞球排出が行われることが明確になる。このように賞球排出の手順を明確化することは、不正が行われる余地の解消に有効である。
なお、ケース７７の後側部の上部に球通過上部開口９３が形成されている。
図１０（ｂ）に示す通り、他の変更形態である球排出装置９９ｂに電気式の強制球排出手段９１ｂが備えられている。この強制球排出手段９１ｂは、自動復帰式の押圧スイッチ９４と残球数表示器９５とを有しており、押圧スイッチ９４の１回の操作により、球排出モータ８０が１個の遊技球を賞球通路７３に排出する。また、残球数表示器９５は、賞球のカウント数と要求数との差を表示しており、遊技球が１個払い出される毎に数値が「１」ずつ減算される。そして、本変更形態では、押圧スイッチ９４を押し続けることにより連続した球排出が行われるとともに、表示が「０」に近付くにつれて球排出モータ８０が減速する。そして、賞球が過剰に排出されないよう球排出モータ８０が停止制御される。
この強制球排出手段９１ｂによれば、不足分の遊技球の排出を更に容易且つ迅速に行うことが可能になり、操作者の負担を軽減できる。
【００２６】
＜球流下部の変更形態＞
上述の実施形態では、図６（ａ）に示すように２条通路のタンクレール６５が用いられ、これに合わせて球流下部７０，７０’の球流下通路も２条に設定されているが、本発明はこれに限定されず、例えば図６（ｂ）及び図７に示す３条通路の構成の採用も可能である。即ち、図６（ｂ）に示す通り、３条のタンクレール１６５とされ、図７に示す通り、球流下部１７０の上流側通路１７１、賞球通路１７３、貸球通路１７４には、それぞれ機構盤１６２の前後方向に並設された第１〜第３の通路（１７１ａ〜１７１ｃ，１７３ａ〜１７３ｃ，１７４ａ〜１７４ｃ）が形成されている。また、球排出装置１９９の遊技球通路１７５も３条に形成されており、第１〜第３の通路１７２ａ，１７２ｂ，１７２ｃの中には遊技球移送用の歯車１８２ａ，１８２ｂ，１８２ｃが配置されている。このように各種通路（１７１，１７３，１７４等）の条数を増すことにより、より高速な球排出が可能になる。なお、球排出モータ１８０、シャフト１８１は、球排出モータ８０、シャフト８１と同様のものである。
【００２７】
［第２実施形態］
第２実施形態を図１６（ａ），（ｂ）を参照して説明する。図に示す通り、賞球・貸球については、価値媒体として貨幣価値媒体と交換されるプリペイドカード（事前支払価値媒体）を必要とするＣＲ機２０１と、価値媒体として例えば現金等の貨幣価値媒体を必要とする現金機２０１’とに対して、それぞれ、別々の構造の球流下部２７０，２７０’を備えた機構盤２６２，２６２’をそれぞれ取りつける。ＣＲ機２０１ではプリペイドカードユニット２２（図１参照、以下ＰＣＵ２２と称する）を設置しなければならず、球貸機構をＣＲ機２０１に内蔵する必要がある。本実施形態においては、ＣＲ機２０１として用いられる場合には、球排出装置２９９の後段にＣＲ機用ユニット３００が装着される。球排出装置２９９は、ケース２７７に球排出モータ２８０や球送り部材２７６等を収容してなるもので、上方から流入した遊技球を屈曲した遊技球通路２７５により案内して下方へ排出する。遊技球通路２７５の入口及び出口は２条通路に対応してそれぞれ２つであり、賞球及び貸球はともに同じ出口から排出される。
ＣＲ機用ユニット３００には、遊技球通路３７５が形成されるとともに、揺動可能な通路切換えアーム３０１、及び、この通路切換えアーム３０１を駆動する通路切換ソレノイド３０２等が備えられている。遊技球通路３７５は、途中の分岐部において二方向に分岐しており、分岐した一方の通路は賞球通路３７３に、他方は貸球通路３７４に設定されている。そして、各通路３７３，３７４の途中の部位には賞球カウントスイッチ３７８及び貸球カウントスイッチ３７９（第１実施形態の貸球カウントスイッチ７９に相当）がそれぞれ設けられている。
通路切換えアーム３０１は遊技球通路３７５の分岐部に位置しており、下端側を支点として装着されている。通常時には、通路切換ソレノイド３０２はＯＦＦ状態にあり、通路切換えアーム３０１は起立姿勢を保って賞球通路３７３を開放している。球貸時には通路切換ソレノイド３０２がＯＮとされ、通路切換えアーム３０１が、２点鎖線で示すように倒伏して賞球通路３７３を閉塞するとともに、貸球通路３７４を開放する。
即ち、賞球排出及び貸球排出の違いに応じて、通路切換えアーム３０１が賞球通路３７３及び貸球通路３７４のいずれかを選択的に開放し、球排出装置２９９から排出された遊技球を、賞球カウントスイッチ３７８或は貸球カウントスイッチ３７９の側へ導く。
また、ＣＲ機用ユニット３００が装着される部分の形状及び寸法は、ＣＲ機用ユニット３００を受け入れて係止させることができるよう、ＣＲ機用ユニット３００の外部形状及び外形寸法に合わせて設定されている。
【００２８】
図１７は上述の賞球排出動作のための制御手順を概略的に示している。なお、前述の実施形態（例えば図１〜図６（ａ），図８，図９，図１１，図１２に示すもの）と同様の部分については同一符号を付し、その説明は省略する。
すなわち、主制御部１４０が入賞球を検知すると（Ｓ６０）、賞球数情報を枠制御部１５０へ送信し（Ｓ６２）、所定数の賞球の排出を要求する。枠制御部１５０は、主制御部１４０から要求された賞球数に応じて、球排出モータ２８０を回転させる（Ｓ６４）。排出された賞球は、通路切換えアーム３０１により案内されて賞球通路３７３へ流入するとともに、賞球カウントスイッチ３７８によって検出（Ｓ６６）され、検出結果が主制御部１４０へ送られる（Ｓ６８）。主制御部１４０は、賞球カウントスイッチ３７８の計数値に基づいて、要求通りの数の賞球が排出されたか否かを確認し（Ｓ７０）、処理を終了する。また、枠制御部１５０も排出数を確認し、排出数が主制御部１４０からの要求数に対して不足している場合（Ｓ７２：ＹＥＳ）は、枠制御部１５０は排出モータ２８０を再試行動作させ（Ｓ７４）、不足分の賞球排出を行い、処理を終了する。排出数が主制御部１４０からの要求数に対して足りている場合（Ｓ７２：ＮＯ）は、処理を終了する。
【００２９】
図１８は上述の貸球排出動作のための制御手順を概略的に示している。
すなわち、操作パネル１０の球貸ボタンが押下されると（Ｓ８０）、枠制御部１５０が球貸要求を受信する（Ｓ８２）。枠制御部１５０は、通路切換ソレノイド３０２を駆動し（Ｓ８４）、通路切換えアーム３０１を貸球側へ動作させる。さらに、枠制御部１５０は、２５個の貸球が排出されるよう、球排出モータ２８０を回転させる（Ｓ８６）。排出された貸球は貸球カウントスイッチ３７９によって検出され（Ｓ８８）、枠制御部１５０は貸球カウントスイッチ３７９の計数値に基づいて、要求通りの数の貸球が排出されたか否かを確認する（Ｓ９０）。検出された貸球数が２５個に満たない場合には（Ｓ９２：ＹＥＳ）、枠制御部１５０は球排出モータ２８０を再試行動作させ（Ｓ９４）、不足分の貸球排出を行い、処理を終了する。例えば５００円分の球貸が行われる場合は、上述の動作が５回繰返される。検出された貸球数が２５個以上の場合には（Ｓ９２：ＮＯ）、処理を終了する。
【００３０】
一方、図１６（ｃ）に示すように現金機２０１’として用いられる場合には、球貸は外部の球貸機（図示略）によって行われるため、貸球通路３７４や通路切換えアーム３０１等の機器が不要となる。したがって、ＣＲ機用ユニット３００に代えて現金機用ユニット３００’が装着されている。この現金機用ユニット３００’には屈曲した賞球通路３７３’のみが形成され、賞球通路３７３’の途中に賞球カウントスイッチ３７８’が配置されている。また、現金機用ユニット３００’の外部形状及び外形寸法はＣＲ機用ユニット３００とほぼ一致しており、両ユニット３００，３００’は装着に関しての互換性を有している。
なお、図１６（ｃ）においては、図１６（ａ）と共通する部分には同一数字にダッシュ（’）が付されている。
【００３１】
＜制御系の説明＞
図１９は制御系の接続を示し、図２０は電力の供給経路を示している。なお、本実施形態においては前述の第１実施形態と共通する機器が多く採用されているため、図１９及び図２０においては、第１実施形態と共通の機器には同一の符号が付されている。
この制御系には、主として、中継基板１３０、主制御基板１４０ａ、枠制御基板１５０ａ、発射装置制御基板１０３ａ、集中電源基板１６０ａ、及び、分電基板１１０ａが設けられている。これらのうち主制御基板１４０ａは図２０に示す主制御部１４０に備えられており、枠制御基板１５０ａは枠制御部１５０に備えられている。さらに、発射装置制御基板１０３ａは発射装置制御部１０３に、集中電源基板１６０ａは集中電源部１６０に、分電基板１１０ａは分電部１１０に、それぞれ設けられている。なお、図２０の主制御部１４０及び分電部１１０は、前述の第１実施形態と概ね同様の構成及び機能を有しているが、後述するように接続機器や使用電力に関して第１実施例と相違する点を有している。
また、図１９に示すように、この他の基板として、枠飾りランプ基板１６、賞球表示ＬＥＤ基板１８、ストップ表示ＬＥＤ基板２０、音量スイッチ基板２１、球排出装置センサ基板９６、外部情報端子１基板１１１ａ、表示ランプ中継基板１１３ａ、効果ランプ中継基板１１４ａ、音声制御基板１３１、球送りソレノイド中継基板１３３、及び、上受皿ＣＲ基板１３５が設けられている。
外部情報端子１基板１１１ａは外部情報端子部１１１に備えられており、表示ランプ中継基板１１３ａは表示ランプ中継部１１３に備えられている。さらに、効果ランプ中継基板１１４ａは効果ランプ中継部１１４に備えられており、上受皿ＣＲ基板１３５は操作パネル１０（図１参照）に内蔵されている。
なお、音量スイッチ基板２１及び音声制御基板１３１はスピーカ９の制御に用いられ、球送りソレノイド中継基板１３３は打球供給装置（図示略）に設けられている。
また、遊技盤２４には、盤面ランプ１２４、ランプ制御基板１３７、盤面スイッチ１２５、ソレノイド等１２６、表示制御基板（図示略）、液晶表示盤３２などが備えられている。盤面ランプ１２４のブロックは、センター役物２６や大入賞装置４０等に設けられた各種ランプ（ＬＥＤを含む）を一群として示している。盤面スイッチ１２５のブロックは、第１種始動口（普通電動役物）４１、特定領域４３、或は、特定領域外領域４４等への入賞や通過を検出する各種球検出スイッチを、また、ソレノイド等１２６のブロックは、第１種始動口（普通電動役物）４１や大入賞口開閉シャッタ３９、或は、特定領域開閉シャッタ４２等を駆動する各種のソレノイドを一群として示している。ランプ制御基板１３７から盤面ランプ１２４へ信号が出力され、主制御基板１４０ａから信号が入力される。盤面スイッチ１２５から信号が主制御基板１４０ａへ出力され、主制御基板１４０ａから、ソレノイド等１２６へ信号が出力され、また、特別図柄制御部１４５を介して液晶表示盤３２へ信号が出力される。
【００３２】
つぎに、上述の各基板の接続関係について説明する。
上述の各種基板のうち、枠飾りランプ基板１６はランプ入力用コネクタ（ＣＮ１）、ランプ１〜４とを有しており、このランプ入力用コネクタ（ＣＮ１）を介して効果ランプ中継基板１１４ａのランプ出力用コネクタ（ＣＮ２）に接続されている。効果ランプ中継基板１１４ａはランプ入力用コネクタ（ＣＮ１）を介して、遊技盤２４のランプ制御基板１３７に設けられたランプ出力用コネクタ（ＣＮ１）に接続されている。また、ストップ表示ＬＥＤ基板２０はランプ入力用コネクタ（ＣＮ１）を介して、賞球表示ＬＥＤ基板１８のランプ出力用コネクタ（ＣＮ２）に接続されており、賞球表示ＬＥＤ基板１８のランプ入力用コネクタ（ＣＮ１）は表示ランプ中継基板１１３ａのランプ出力用コネクタ（ＣＮ２）に接続されている。さらに、表示ランプ中継基板１１３ａのランプ入力用コネクタ（ＣＮ１）は、枠制御基板１５０ａのランプ出力用コネクタ（ＣＮ６）に接続されている。
外部情報端子１基板１１１ａにはタンク球切れ検知スイッチ入力用コネクタ（ＣＮ１）、ドアスイッチ入力用コネクタ（ＣＮ２）、球貸し情報入力用コネクタ（ＣＮ３）、大当り・賞球情報入力用コネクタ（ＣＮ４）、大当り情報等出力用コネクタ（ＣＮ５）、賞球情報出力用コネクタ（ＣＮ６）、球貸し情報出力用コネクタ（ＣＮ７）が設けられている。これらのうち、タンク球切れ検知スイッチ入力用コネクタ（ＣＮ１）にはタンク球切れ検知スイッチ６３が接続され、ドアスイッチ入力用コネクタ（ＣＮ２）にはドアスイッチ２３が接続されている。
また、球貸し情報入力用コネクタ（ＣＮ３）は枠制御基板１５０ａの球貸し情報出力用コネクタ（ＣＮ５）に接続されており、大当り・賞球情報入力用コネクタ（ＣＮ４）は主制御基板１４０ａの大当り・賞球情報出力用コネクタ（ＣＮ２）に接続されている。さらに、大当り情報等出力用コネクタ（ＣＮ５）、賞球情報出力用コネクタ（ＣＮ６）、及び、球貸し情報出力用コネクタ（ＣＮ７）は、例えばホールコンピュータ等の外部機器との接続に用いられる。
球排出装置センサ基板９６は、光センサ出力用コネクタ（ＣＮ１）、球排出モータ入力用コネクタ（ＣＮ２）、及び、球排出モータ出力用コネクタ（ＣＮ３）を有している。光センサ出力用コネクタ（ＣＮ１）は枠制御基板１５０ａの光センサ入力用コネクタ（ＣＮ３）に接続されており、球排出モータ入力用コネクタ（ＣＮ２）は同じく枠制御基板１５０ａの球排出モータ出力用コネクタ（ＣＮ２）に接続されている。さらに、球排出装置センサ基板９６の球排出モータ出力用コネクタ（ＣＮ３）には、球排出モータ２８０が接続されている。
ここで、球排出装置センサ基板９６のブロック内の光センサ出力用コネクタ（ＣＮ１）に記載された「球排出モータセンサＬＥＤ」は第１実施形態で説明した回転量検出用の光センサの投光器を意味しており、同じく「球排出モータセンサ」は光センサの受光器を意味している。また、球排出モータ入力用コネクタ（ＣＮ２）に記載された「球排出モータＡ」、「球排出モータＢ」はモータ駆動の各相を表しており、（−），（＋）は逆転と正転を意味している。
発射装置制御基板１０３ａには電源入力用コネクタ（ＣＮ１）、発射スイッチ入力用コネクタ（ＣＮ２）、ハンドル入力用コネクタ（ＣＮ３）、発射モータ出力用コネクタ（ＣＮ４）、及び、球送り出力用コネクタ（ＣＮ５）が設けられている。電源入力用コネクタ（ＣＮ１）には枠制御基板１５０ａの発射制御用コネクタ（ＣＮ１０）が接続され、発射スイッチ入力用コネクタ（ＣＮ２）には発射停止スイッチ１１ｂが接続され、ハンドル入力用コネクタ（ＣＮ３）には発射ハンドル１１が接続されている。発射モータ出力用コネクタ（ＣＮ４）には発射モータ１３８（発射装置ユニット１０７に含まれる）が接続され、球送り出力用コネクタ（ＣＮ５）には球送りソレノイド中継基板１３３を介して球送りソノイド１３９が接続されている。
上受皿ＣＲ基板１３５には、表示入力コネクタ（ＣＮ１）、スイッチ出力用コネクタ（ＣＮ２）、２個のスイッチ、１個のＬＥＤ、３桁の７セグメント表示部とが設けられている。表示入力用コネクタ（ＣＮ１）は枠制御基板１５０ａの表示出力用コネクタ（ＣＮ１１）に接続され、スイッチ出力用コネクタ（ＣＮ２）は同じく枠制御基板１５０ａのスイッチ入力用コネクタ（ＣＮ１２）に接続されている。
主制御基板１４０ａには、スイッチ入力用コネクタ（ＣＮ１）、大当り情報出力用コネクタ（ＣＮ２）、電源入力用コネクタ（ＣＮ３）、賞球データ出力用コネクタ（ＣＮ４）が設けられている。スイッチ入力用コネクタ（ＣＮ１）は中継基板１３０の補給球切れ検知スイッチ等出力用コネクタ（ＣＮ３）に接続されており、大当り情報出力用コネクタ（ＣＮ２）は外部情報端子１基板１１１ａの大当り情報入力用コネクタ（ＣＮ４）に接続されている。また、電源入力用コネクタ（ＣＮ３）は集中電源基板１６０ａの電源出力用コネクタ（ＣＮ１）に接続されており、主制御基板１４０ａは集中電源基板１６０ａのコネクタ（ＣＮ２）を介して分電基板１１０ａのメイン電源出力用コネクタ（ＣＮ３）に接続されている。さらに、賞球データ出力用コネクタ（ＣＮ４）は枠制御基板１５０ａの賞球データ入力用コネクタ（ＣＮ９）に接続されている。主制御基板１４０ａは音量制御基板１３１のコネクタ（ＣＮ１）を介して音量スイッチ基板２１のコネクタ（ＣＮ１）に接続され、コネクタ（ＣＮ２）がスピーカ９と接続されている。
ここで、主制御基板１４０ａについては電源や賞球データの伝送に関わるコネクタのみ示されており、遊技盤２４との接続に用いられるコネクタや、音声制御基板１３１との接続のためのコネクタの図示は省略されている。
また、賞球データ出力用端子（ＣＮ４）には、後述するように枠制御部１５０へ送られる賞球データが５ビットデータであることに対応して、賞球データ１端子〜賞球データ５端子等が設けられている。
枠制御基板１５０ａには前述の各コネクタ（ＣＮ２，３，５，６，９〜１２）の他に、電源入力用コネクタ（ＣＮ１）、貸球スイッチ入力用コネクタ（ＣＮ４）、通路切換ソレノイド出力用コネクタ（ＣＮ７）、及び、ブザー出力用コネクタ（ＣＮ８）が設けられている。電源入力用コネクタ（ＣＮ１）は分電基板１１０ａの枠制御部出力用コネクタ（ＣＮ４）に接続されており、貸球スイッチ入力用コネクタ（ＣＮ４）には貸球カウントスイッチ３７９が接続されている。通路切換ソレノイド出力用コネクタ（ＣＮ７）には通路切換ソレノイド３０２が接続され、ブザー出力用コネクタ（ＣＮ８）にはブザー１５５が接続されている。
中継基板１３０には前述のコネクタ（ＣＮ３）の他に、補給球切れ検知スイッチ入力用コネクタ（ＣＮ１）、賞球カウントスイッチ入力用コネクタ（ＣＮ２）、及び、下皿満タンスイッチ入力用コネクタ（ＣＮ４）が設けられている。補給球切れ検知スイッチ入力用コネクタ（ＣＮ１）には２つの補給球切れ検知スイッチ８６が接続され、賞球カウントスイッチ入力用コネクタ（ＣＮ２）には賞球カウントスイッチ３７８が接続されている。また、下皿満タンスイッチ入力用コネクタ（ＣＮ４）には下皿満タンスイッチ７ｂが接続されている。
分電基板１１０ａには前述の主制御部出力用コネクタ（ＣＮ３）、枠制御部出力用コネクタ（ＣＮ４）の他に外部電源入力用コネクタ（ＣＮ１）、接地用コネクタ（ＣＮ２）が設けられている。
【００３３】
＜電力供給系の説明＞
図２０は電力供給系を示しており、本実施形態では前述の図１３の例のように分散電源部１６１を備えるとともに、分電部１１０から集中電源部１６０と枠制御部１５０へ＋２４Ｖの電力が供給される。さらに、＋３２Ｖ，＋２４Ｖ，＋１２Ｖの３種類の電力が集中電源部１６０から主制御部１４０へ供給され、そのうちの＋１２Ｖ，＋３２Ｖの電力が主制御部１４０から枠制御部１５０へ、枠制御部１５０から発射装置制御部１０３へ供給され、＋１２Ｖの電力が主制御部１４０から特別図柄制御部１４５へ供給される。また、枠制御部１５０からＰＣＵ２２へ＋２４Ｖの電力が供給される。
【００３４】
＜賞球排出制御信号伝送方式＞
図２１は賞球排出制御における信号伝送方式を概略的に示している。賞球数情報は賞球データ１〜５とストローブ信号（STB）とを含んでおり、賞球データ１〜５は後述するコマンドの各ビットに対応している。すなわち、賞球データ１〜５は主制御部１４０から枠制御部１５０へのコマンドのパラレル伝送に用いられている。また、本実施形態では、枠制御部１５０における賞球スイッチ情報の受信は、主制御部１４０を介して行われている。枠制御基板１５０ａにおける通路切換ソレノイド出力用コネクタ（ＣＮ７）の第１端子から信号が通路切換ソレノイド３０２へ送出されている。
【００３５】
＜貸球排出制御信号伝送方式＞
図２２は貸球排出制御における信号伝送方式の概略を示している。ＰＣＵ２２と枠制御部１５０との間でカードユニットREADY信号（BRDY）、台端末貸出要求完了確認信号（BRQ）、台READY信号（PRDY)、及び、台端末貸出完了信号(EXS)が送受信されることにより貸球排出が行われる。本実施形態においては、貸球カウントスイッチ３７９の検出結果（貸球賞球スイッチ情報）は枠制御部１５０に送られ、主制御部１４０へは送られない。
【００３６】
＜入賞管理処理＞
図２３は主制御部１４０において実行される入賞管理処理を示す。この入賞管理処理において、先ず、入賞がある（Ｓ１００：ＹＥＳ）と、６個、１５個の順で入賞の種別を判断し（Ｓ１０１,１０２）、いずれにも該当しない場合には１０個と判断する（Ｓ１０２：ＮＯ）。そして、判断結果に応じて賞球データに６，１５，１０のいずれかをセットし（Ｓ１０３，１０４，１０５）、賞球データを枠制御部１５０の側へ出力する（Ｓ１０６）。さらに、排出総個数メモリ（ここでは２バイト確保）に賞球データを加算し（Ｓ１０７）、ストローブ信号（STB）をＯＮ（ここでは５μsec間）とし（Ｓ１０８）、処理を終了する。入賞がない（Ｓ１００：ＮＯ）と、そのまま処理を終了する。
【００３７】
＜排出数処理＞
図２４は排出数管理を示す。先ず、賞球スイッチ情報がＯＮになっているか否かを判断し（Ｓ１１０）、ＯＮであれば排出総個数メモリを「１」減算し（Ｓ１１２）、処理を終了し、ＯＦＦ（Ｓ１１０：ＮＯ）であればそのまま処理を終了する。
【００３８】
＜割込処理＞
図２５は枠制御部１５０において実行される割込処理を示す。この割込処理はSTB信号がＯＮとなった場合（図２３のＳ１０８参照）に実行される。先ず、主制御部１４０からのコマンドが取得され（Ｓ１２０）、６個、１５個の順で払い出すべき賞球数が確認されて（Ｓ１２１，Ｓ１２２）、６個、１５個、１０個のいずれかの賞球数に対応したメモリが「１」加算され（Ｓ１２３，Ｓ１２４，Ｓ１２５）、処理は終了する。
【００３９】
＜排出処理＞
図２６は排出処理を示す。賞球排出中フラグがＯＮでなければ（Ｓ１３０：ＮＯ）、６個、１５個、１０個の順で排出用メモリが「０」か否か確認され（Ｓ１３１，Ｓ１３２，Ｓ１３３）、「０」でないメモリがあればそのメモリに対応した数が排出カウンタにセットされる（Ｓ１３４，Ｓ１３５，Ｓ１３６）。その後、賞球排出中フラグがセットされ（Ｓ１３７）、球排出モータ起動処理が実行され（Ｓ１３８）、リターンに抜ける。６個、１５個、１０個の排出用メモリが「０」であれば（Ｓ１３１，Ｓ１３２，Ｓ１３３：ＹＥＳ）、処理はリターンに抜ける。
一方、賞球排出中フラグがＯＮであれば（Ｓ１３０：ＹＥＳ）、賞球スイッチ情報がＯＮか否かが判断され（Ｓ１３９）、ＯＮであれば（Ｓ１３９：ＹＥＳ）、排出カウンタを「１」減算する（Ｓ１４０）。つぎに、排出カウンタが「０」になったか否かが判断され（Ｓ１４１）、「０」になっていれば（Ｓ１４１：ＹＥＳ）、賞球排出中フラグがクリアされて（Ｓ１４２）、排出処理が終了し、リターンに抜ける。賞球スイッチ情報がＯＮでない場合（Ｓ１３９：ＮＯ）、或は、排出カウンタが「０」でない場合には（Ｓ１４１：ＮＯ）、そのまま処理はリターンに抜ける。
【００４０】
＜コマンド一覧＞
図２７は主制御部１４０から枠制御部１５０へ送られるコマンドの一覧を示す。定義されているコマンドは、図表の左端列の「データ」欄に示すように、００Ｈ（「Ｈ」は１６進数表記であることを示す）〜１ＦＨの５ビットのデータであり、これらのコマンドの伝送は、主制御基板１４０ａの賞球データ出力用コネクタ（ＣＮ４）と枠制御基板１５０ａの賞球データ入力用コネクタ（ＣＮ９）を利用して行われる。コマンド００Ｈは、「内容」欄に示すように通常時（通常の遊技が可能のとき）であることを意味しており、「出力タイミング」欄に示すように、通常時（ＳＴＢ信号がＨレベルであるとき）のコマンドは００Ｈに固定される。
また、コマンド０１Ｈ〜０ＦＨは１〜１５個の賞球数データを示しており、例えば０６Ｈは６個の賞球の排出要求を意味し、０ＡＨは１０個の賞球の排出要求を意味している。これらのコマンドの出力タイミングは賞球排出要求時であり、コマンドを受信した枠制御部１５０は賞球動作、即ち賞球の排出のための一連の動作を実行する。なお、ここでいう賞球動作はリトライ動作、即ち賞球排出が滞った場合の再試行の動作を含んでいる。
コマンド１０Ｈ〜１ＦＨは異常（エラー）の種別を表すものであり、これらのうち１０Ｈ〜１５Ｈは、それぞれ補給球不足、補給球不足の解除、下皿満タン、下皿満タンの解除、球排出装置異常、及び、通路切換ソレノイド異常の状態を意味している。補給球不足、下皿満タン、球排出装置異常、及び、通路切換ソレノイド異常のコマンドの出力タイミングはそれぞれの発生時であり、補給球不足の解除及び下皿満タンの解除のコマンドの出力タイミングはそれぞれのエラー解除時である。図表の右端の「枠制御部側動作」欄に示すように、各エラー発生時には該当する装置の停止制御が行われ、ランプや７セグ（７セグメント表示器の略称、枠状態表示器１０８を表す）が状況に応じて駆動制御される。また、エラー解除時には該当する装置の復帰制御が行われ、ランプや７セグの類が状況に応じて点灯制御される。ランプや７セグ等の動作態様の詳細な説明については後述するので（図２８）、ここでは省略する。
コマンド１６Ｈ〜１ＥＨは異常データであることを意味している。また、１ＦＨはコネクタ抜け又は異常データであることを意味している。これらのコマンドの発生タイミングは予測が困難であるので特に定義されていないが、枠制御部１５０でこれらのコマンドを受信した場合には、受信データを破棄するとともに、主基板（主制御基板１４０ａを意味する）通信線異常のエラーが発生したものと判断する。なお、枠制御部１５０は、０１Ｈ〜１５Ｈのコマンドを受信した場合であっても、これらのコマンドを受信すべき状態にない場合には、同様にエラー発生と判断する。
【００４１】
＜エラー一覧＞
図２８はエラーの一覧図表を示す。図表の左端列は「エラーNo.」欄、その右列は「項目」欄である。本実施形態では６種類のエラー、即ち補給球不足、下皿満タン、球排出装置異常、通路切換ソレノイド異常、主基板通信線異常、及び、ＰＣＵ未接続が設定されており、これらに「エラーNo.」が設定されている。
また、本図表には、各エラーの「検出方法」、「検出場所」、「各装置の状態」、「主制御部からの送出コマンド」、「要因」、「復帰条件」の各欄が設けられている。図表中央列の「各装置の状態」欄は、更に「遊技盤」、「排出装置」、「発射装置」、「ＰＣＵ］、「排出ＬＥＤ」、「ストップＬＥＤ」、「ブザー音」、「７セグ表示」の欄に分けられている。これらは概ね、遊技盤２４、球排出装置２９９、発射装置ユニット１０７、ＰＣＵ２２、賞球表示ＬＥＤ１７、ストップ表示ＬＥＤ１９、ブザー１５５、枠状態表示器１０８の状態をそれぞれ表している。特に、「遊技盤」の表記は遊技盤２４に装着された各種機器を総括したものであり、「ブザー音」欄はブザー１５５の作動の有無を表している。さらに、「７セグ表示」の表記は枠状態表示器１０８の表示を意味している。
また、図表の「要因」欄は各エラーの発生要因を意味しており、「復帰条件」欄は各エラーの要因を解消して通常状態に復帰させる方法を示している。
【００４２】
つぎに、各エラーが発生した場合の制御態様を通常時と比較して説明する。
また、「各装置の状態」の欄に関する説明にあたっては、本図表中の表記を用いる。
先ず、通常時には、「各装置の状態」欄に示すように、遊技盤２４、球排出装置２９９、発射装置ユニット１０７、及び、ＰＣＵ２２が作動しており、賞球表示ＬＥＤ１７、ストップ表示ＬＥＤ１９、ブザー音の作動が停止している。この際、７セグ表示は作動していない。
【００４３】
つぎに、補給球不足（No.１）の場合、先ず主制御部１４０において補給球切れ検知スイッチ８６のＯＦＦが検出され、主制御部１４０から枠制御部１５０へ補給球不足を示すコマンド１０Ｈが送出される。そして、球排出装置２９９及びＰＣＵ２２の作動が停止し、ストップ表示ＬＥＤ１９が所定態様で点滅する。この際の７セグ表示は「１」である。補給球切れ検知スイッチ８６のＯＦＦの要因としては、補給球不足、補給球切れ検知スイッチ故障、及び、球詰まり等が挙げられる。補給球不足からの復帰は、補給球切れ検知スイッチ８６がＯＮとなることにより自動的に行われる。
【００４４】
下皿満タン（No.２）の場合には、主制御部１４０が下皿満タンスイッチ７ｂのＯＦＦを検出し、枠制御部１５０へ下皿満タンを示すコマンド１２Ｈを送出する。さらに、球排出装置２９９、発射装置ユニット１０７、ＰＣＵ２２の作動が停止し、ストップ表示ＬＥＤ１９が所定態様で点滅するとともに、ブザー音が出力される。そして、７セグ表示が「２」となる。下皿満タンスイッチ７ｂのＯＦＦの要因としては、下皿満タンや下皿満タンスイッチ７ｂが故障することなどが挙げられる。下皿満タンからの復帰は、下皿満タンスイッチ７ｂがＯＮとなることにより自動的に行われる。
【００４５】
球排出装置異常（No.３）の場合には、主制御部１４０による検出と、枠制御部１５０による検出の２通りがある。主制御部１４０による検出の場合は、要求した賞球数と賞球カウントスイッチ３７８の検知結果とが一致しなければ（後掲の図３５参照）、主制御部１４０から枠制御部１５０へ球排出装置異常を示すコマンド１４Ｈが送出され、球排出装置２９９とＰＣＵ２２とが作動停止し、賞球表示ＬＥＤ１７が点灯し、ストップ表示ＬＥＤ１９が所定態様で点滅するとともに、ブザー音が出力される。そして、７セグ表示が「３」となる。
これに対し枠制御部１５０による検出の場合は、更に検出方法が２通り存在する。一方は要求した貸球数と貸球カウントスイッチ３７９の検知結果との比較であり、他方は球排出モータ２８０の回転量の監視である。すなわち、要求した貸球数と貸球カウントスイッチ３７９の検知結果とが一致しない場合（後掲の図３６参照）や、球排出モータ２８０の回転量を検出できない場合には、主制御部１４０が球排出装置異常を検出した場合と同様に、球排出装置２９９とＰＣＵ２２とが作動停止し、賞球表示ＬＥＤ１７が点灯し、ストップ表示ＬＥＤ１９が所定態様で点滅するとともに、ブザー音が出力される。そして、この際の７セグ表示は「４」となる。
このような球排出装置異常が検出される要因としては、主制御部通信異常、球詰まり、球排出モータ故障、賞球カウントスイッチ３７８の故障、貸球カウントスイッチ３７９の故障などが挙げられる。球排出装置異常からの復帰は、リセットスイッチ１１９（リセット手段）を押下することにより行われる。
【００４６】
通路切換ソレノイド異常（No.４）の場合にも主制御部１４０による検出と、枠制御部１５０による検出の２通りがある。主制御部１４０による検出の場合は、賞球の排出を要求していないときに賞球が検出されると（例えば後掲の図３７参照）、主制御部１４０から枠制御部１５０へ通路切換ソレノイド異常を示すコマンド１５Ｈが送出され、球排出装置２９９とＰＣＵ２２とが作動停止し、賞球表示ＬＥＤ１７が点灯し、ストップ表示ＬＥＤ１９が所定態様で点滅するとともに、ブザー音が出力される。そして、７セグ表示が「５」となる。
一方、枠制御部１５０による検出の場合は、貸球の排出を要求していないときに貸球が検出されると（例えば後掲の図３８参照）、主制御部１４０による場合と同様に、球排出装置２９９とＰＣＵ２２とが作動停止し、賞球表示ＬＥＤ１７が点灯し、ストップ表示ＬＥＤ１９が所定態様で点滅するとともに、ブザー音が出力される。そして、７セグ表示が「６」となる。
このような通路切換ソレノイド異常が検出される要因としては、通路切換ソレノイド３０２の故障が挙げられる。通路切換ソレノイド異常からの復帰は、リセットスイッチ１１９を押下することにより行われる。
【００４７】
主基板通信線異常（No.５）の場合には、枠制御部１５０が通信データの異常を検出すると、球排出装置２９９とＰＣＵ２２とが作動停止し、賞球表示ＬＥＤ１７とストップ表示ＬＥＤ１９とが所定態様で交互点滅し、７セグ表示が「７」となる。主基板通信線異常の要因としては、断線やコネクタ抜けが挙げられる。そして、主基板通信線異常からの復帰は、正常なデータを受信することにより自動的に行われる。
【００４８】
ＰＣＵ未接続（No.６）の場合には、枠制御部１５０が接続確認信号のＯＦＦを検出すると、球排出装置２９９、発射装置ユニット１０７、及び、ＰＣＵ２２が作動停止し、賞球表示ＬＥＤ１７とストップ表示ＬＥＤ１９とが所定態様で同時点滅し、７セグ表示が「８」となる。ＰＣＵ未接続の要因としては、断線、コネクタ抜け、及び、ＣＲユニット故障などが挙げられる。そして、ＰＣＵ未接続からの復帰は、接続確認信号がＯＮとなることにより自動的に行われる。
【００４９】
なお、本実施形態において主制御部１４０は、賞球カウントスイッチ３７８の検知結果を枠制御部１５０へ出力するが、エラー中及び復帰時の処理に関与していない。
また、複数のエラーの発生した場合に備えて、各装置の作動には優先順位の設定が行われている。すなわち、先ず７セグ表示の優先順位は８＞７＞６＞５＞４＞３＞２＞１に設定されており、数値が大きいほど優先順位が高い。例えばＰＣＵ未接続（No.6）と主基板通信線異常（No.5）の双方のエラーが検出された場合、７セグ表示は「８」となり、ＰＣＵ未接続（No.6）が解消されるまで「７」の表示は行われない。また、主制御部１４０において球排出装置異常（No.3）と下皿満タン（No.2）とが検出された場合には、先に７セグ表示が「３」となり、球排出装置異常（No.3）が解消されると７セグ表示が「２」となる。
【００５０】
さらに、賞球表示ＬＥＤ１７、ストップ表示ＬＥＤ１９、ブザー音の作動は、そのときの７セグ表示に従う。つまり、例えばＰＣＵ未接続（No.6）と主基板通信線異常（No.5）の双方のエラーが検出された場合には、７セグ表示が「８」となるため、賞球表示ＬＥＤ１７及びストップ表示ＬＥＤ１９は同時点滅する。そして、ＰＣＵ未接続（No.6）が解消されて７セグ表示が「７」となった場合に、作動態様が交互点滅に変化する。さらに、この際、ブザー音は作動を継続する。
【００５１】
また、遊技盤２４、球排出装置２９９、発射装置ユニット１０７、ＰＣＵ２２の作動は、全てのエラーを確認後、「×」を優先して実行する。つまり、例えば球排出装置異常（No.3）と下皿満タン（No.2）とが検出された場合の発射装置ユニット１０７の作動は、７セグ表示が「３」となるものの、下皿満タン（No.2）及びＰＣＵ未接続（No.6）については「×」であるから、発射装置ユニット１０７はこの「×」を優先して作動停止する。
【００５２】
＜処理例＞
図２９〜図３８は主制御部１４０及び枠制御部１５０の処理例を示す。
図２９は正常な状態における処理の一例を示す。最上段の「メイン周期」は主制御部１４０におけるリセット割込周期を示している。次段の「STB」はストローブ信号を表し、「DATA」はパラレル伝送される５bitのデータ信号を表している。また、「割込処理」は枠制御部１５０において、ストローブ信号の入力を契機に行われる割込処理のタイミングを示している。最下段の「枠側状態」は枠制御部１５０により制御される遊技機枠１ａの状態を表している。
【００５３】
図３０は図２９のタイミングチャートのコマンド受信部分の一部を拡大して示している。すなわち、主制御部１４０から枠制御部１５０へのデータ信号の送信が開始されてから約３μｓが経過すると、ストローブ信号が立ち下がり、その５μｓ後にストローブ信号が立ち上がる。さらに、ストローブ信号の立ち下がりから約３μｓ後に、枠制御部１５０において割込処理が所定時間（ここでは約４０μｓ）の間実行される。
なお、ストローブ信号は、枠制御部１５０のＣＰＵのINT端子に入力される。また、割込処理においては、２回連続して正常なコマンドデータが受信された場合に入力が確定するが、本実施形態はこれに限定されず、例えば正常なコマンドデータの１回或は３回以上の受信によって入力を確定してもよく、または、奇数回（例えば３回）のコマンド入力のうち過半数のコマンドを確定情報として認識してもよい。また、ここに挙げた各時間の具体的な値は、例えば使用機器の処理手順や処理時間に応じて適宜変更することが可能である。
【００５４】
図３１は主制御部１４０の電源ＯＮ時の処理を示す。パチンコ機１の電源投入に伴い主制御部１４０の電源がＯＮとなり、主制御部１４０は枠制御部１５０へコマンド１ＦＨを送信する。この際、枠側状態は立上り待機状態にある。さらに、主制御部１４０は、コマンドを００Ｈ，１１Ｈ，１３Ｈ，００Ｈの順に切替える。コマンド００Ｈの送信に伴ってストローブ信号が立ち上がり、枠側状態はエラー状態となる。さらに、コマンド１１Ｈ，１３Ｈの送信にともない、ストローブ信号は立下がりと立上がりを行う。コマンド１３Ｈが所定時間送信されるまで、枠側状態はエラー状態を維持する。そして、その後枠側状態は待機状態となる。
【００５５】
図３２は異常データ、断線、コネクタ抜けの場合の処理例を示す。先ず、コマンドが００Ｈ，０ＦＨ，００Ｈの順で切替ると、枠側状態は通常時，コマンド受信，通常時の順に変化する。メインループでの監視にて、割込処理が行われていないのにも関らずこの後コマンドが００Ｈ以外のデータに変化すると、枠制御部１５０は断線と判断する。また、ＳＴＢ有効時に１ＦＨが検出されると、枠制御部１５０はコネクタ抜けと判断し、コマンド一覧（図２７参照）に無いデータ、又は、１６Ｈ〜１ＥＨの場合、異常データと判断する。
【００５６】
図３３は、正常な賞球排出の処理例を示す。ここでは１５個賞球の排出が繰返される場合を説明する。先ず、枠制御部１５０はコマンド０ＦＨを受信すると割込処理を実行し、球排出装置２９９を駆動して賞球の排出を実行する。払出された賞球は賞球カウントスイッチ３７８により検出され、賞球カウントスイッチ３７８の検出結果は主制御部１４０へ送られる。さらに、主制御部１４０から枠制御部１５０へ、賞球カウントスイッチ信号が送られると、枠側状態は賞球中となる。そして、賞球カウントスイッチ信号から判断される賞球数が１５個に達すると、枠側状態は賞球開始待機中に変化する。さらに、枠制御部１５０は、その後に送信されたコマンド０ＦＨに対して同様な処理を実行する。
【００５７】
図３４は、賞球排出が途中で滞った場合の処理例を示す。ここでは、１５個賞球の排出の際、１４個目以降の賞球排出が滞った場合について説明する。
先ず、枠制御部１５０は、１３個目の賞球に相当する信号の立ち上りが検出されてから所定時間Ｔが経過しても後続の信号が入力されなければ、リトライ（再試行）を実行する。本実施形態におけるリトライは、球排出モータ２８０を正逆方向に所定量（例えば遊技球数個分）回転させ、その間に遊技球（ここでは賞球）が検出されなければ、枠制御部１５０は球排出装置異常の判断を行う処理である。
図３４の例では、１４個目の賞球の排出が行われ、この賞球が検出された後、枠側状態が残球賞球中となり、１５個目の賞球排出の後、枠側状態が賞球開始待機中となる。
なお、球排出装置２９９内の前記光センサによる回転量検出に基づく球排出装置異常の判断を併用或は代替してもよい。
【００５８】
図３５は球排出装置異常の場合であって、且つ、球排出モータ２８０が作動しないことを主制御部１４０が検出した場合の処理例を示す。主制御部１４０から枠制御部１５０へ賞球個数データのコマンド（図示略）が送信されることに伴い、枠制御部１５０にてストローブ信号が検出されると、枠側状態は待機中から賞球開始待機中、賞球中の順に変化する。正常であれば、枠側状態が賞球待機中に変化してから所定時間経過後に、破線で示すように球排出モータ２８０が作動し、その後、賞球カウントスイッチ３７８が同じく破線で示すように賞球を検出する。
しかし、球排出装置２９９に異常があり、球排出モータ２８０が実線で示すように動作しない場合には、賞球が払出されず、賞球カウントスイッチ信号も変化しない。主制御部１４０においては、ストローブ信号の送信からの所定時間（例えば１sec）が賞球払出開始監視時間と定められており、この賞球払出開始監視時間が経過しても賞球が検出されなければ、主制御部１４０が要求した賞球数を検出できないと判断して球排出装置異常のエラーの発生を認識する。
さらに、主制御部１４０は枠制御部１５０へ球排出装置異常コマンド（１４Ｈ）を送信する。この際、主制御部１４０は遊技盤側状態を通常のまま維持する。
枠制御部１５０は、球排出装置異常のコマンドを受けた時点から、枠側状態を球排出装置異常とする。
ここで、リセットスイッチ１１９を操作することにより、球排出装置異常の状態が解消され、枠側状態は通常状態に復帰する。リセットスイッチ１１９が操作された場合、枠制御部１５０においては、それまで記憶されていた賞球個数データが破棄される。そして、次の賞球個数データに対応した排出が行われる。先の異常の要因が排除されていれば、枠制御部１５０は正常な排出を行うが、排除されていない場合には、再び異常発生の判断が行われる。
なお、賞球排出の途中に球排出装置異常が生じる場合（例えば、１個目の正常な排出後に２個目以降の排出が滞った場合など）も考慮し、正常な球排出後の所定時間が判定時間と定められており、この判定時間の経過後に残りの賞球数が「０」でなければ、球排出装置異常の判断が行われる。
【００５９】
図３６は球排出装置異常の場合であって、且つ、球排出モータ２８０が作動しないことを枠制御部１５０が検出した場合の処理例を示す。主制御部１４０から枠制御部１５０へ賞球個数データのコマンド（図示略）が送信されることに伴い、枠制御部１５０にてストローブ信号が検出されると、枠側状態は球貸し準備となり、通路切換ソレノイド３０２が所定時間ＯＮになる。主制御部１４０においては、ストローブ信号の受信からの所定時間（ここでは１０sec）が球貸し監視時間と定められており、この球貸し監視時間が経過しても２５個の貸球が検出されなければ、枠制御部１５０は要求した貸球数を検出できないと判断して球排出装置異常のエラーの発生を認識する。そして、枠側状態は球排出装置異常となる。
なお、本実施形態では、球排出装置２９９のこれ以外の状態も監視されており、例えば、球排出の開始に先立って球排出モータ２８０の基準位置を確認・決定する動作（原点出し動作）等において回転量検出用の光センサの出力信号を正常に検出できない場合などにも、枠制御部１５０は球排出装置異常の判断を行う。
そして、リセットスイッチ１１９を操作することにより、球排出装置異常の状態が解消され、枠側状態は通常状態に復帰する。リセットスイッチ１１９が操作された場合、枠制御部１５０においては、それまで記憶されていた賞球個数データが破棄される。そして、次の賞球個数データに対応した排出が行われる。先の異常の要因が排除されていれば、枠制御部１５０は正常な排出を行うが、排除されていない場合には、再び異常発生の判断が行われる。
【００６０】
図３７は、通路切換ソレノイド異常の場合であって、且つ、球貸し時に通路切換ソレノイド３０２が作動せず遊技球が賞球側に流下したことを、主制御部１４０が検出した場合の処理例を示す。球貸しのために操作パネル１０の操作ボタンが押され、貸出スイッチ信号が変化すると、枠制御部１５０がこれを検出し、枠側状態が球貸し準備となる。この後、正常であれば、所定時間経過後に通路切換ソレノイド３０２が貸球側に動作し、球排出モータ２８０が駆動され、貸球カウントスイッチ信号が同じく破線で示すように変化する。
【００６１】
しかし、通路切換ソレノイド３０２が動作しない場合には、貸球として排出された遊技球が賞球通路３７３に流入し、遊技球が賞球カウントスイッチ３７８により検出される。主制御部１４０は、賞球カウントスイッチ３７８が遊技球を検出したことに伴い、通路切換ソレノイド異常コマンド（１５Ｈ）を枠制御部１５０へ送信する（ストローブ信号参照）。枠側状態は、球排出モータ２８０が２５個分の遊技球の排出動作を終えた後、先の通路切換ソレノイド異常コマンドに基づいて通路切換ソレノイド異常となり、この通路切換ソレノイド異常はリセットスイッチ１１９が操作されるまで継続する。主制御部１４０においては、１個目の異常に基づいて異常検出を行う。
枠制御部１５０においては、貸球数が目的値に達しないため、前述の球貸し監視時間経過後に球排出装置異常の判断が行われるが、主制御部１４０によって通路切換ソレノイド異常の検出も行われているため、７セグ表示は優先順位に基づいて「６」となる。
そして、リセットスイッチ１１９を操作することにより、球排出装置異常の状態が解消され、枠側状態は通常状態に復帰する。リセットスイッチ１１９が操作された場合、枠制御部１５０においては、それまで記憶されていた賞球個数データが破棄される。
【００６２】
図３８は、通路切換ソレノイド異常の場合であって、且つ、賞球排出時に通路切換ソレノイド３０２が作動せず遊技球が貸球側に流下したことを、枠制御部１５０が検出した場合の処理例を示す。なお、このような異常が生じる原因としては、ゴミ等の異物の侵入により可動部品が通常の動作を妨げられて固着することなどが挙げられる。
先ず、主制御部１４０から枠制御部１５０へストローブ信号（賞球要求）が送られると、枠側状態は賞球準備となり、更に所定時間経過後、賞球中となる。通路切換ソレノイド３０２がＯＦＦしないまま（案内方向が貸球側となったまま）球排出モータ２８０が遊技球を払出すと、賞球として払出された遊技球が貸球カウントスイッチ３７９により誤まって検出される。枠制御部１５０は、賞球スイッチ信号の変化によって異常を検出し、通路切換ソレノイド異常の判断をする。枠側状態は、球排出モータ２８０が所定数（ここでは１５個）分の遊技球の排出動作を終えた後、通路切換ソレノイド異常となる。この通路切換ソレノイド異常はリセットスイッチ１１９が操作されるまで継続する。１個目の異常に基づいて異常検出を行う。
主制御部１４０においては賞球数が目的値に達しないため球排出装置異常の判断が行われるが、球排出装置異常の７セグ表示の優先順位は通路切換ソレノイド異常よりも低いため、７セグ表示は「６」となる。
リセットスイッチ１１９を操作することにより、球排出装置異常の状態が解消され、枠側状態は通常状態に復帰する。リセットスイッチ１１９が操作された場合、枠制御部１５０においては、それまで記憶されていた賞球個数データが破棄される。
【００６３】
＜第２実施形態の効果＞
第２実施形態のＣＲ機２０１，現金機２０１’においては、前述の実施形態と同様に、複数の球排出装置９９や球排出系統を設けることなく賞球及び貸球が個別に検出される。したがって、機構盤２６２，２６２’の構造の大幅な複雑化や変更を伴うことなく、貸球数及び賞球数を正確に把握することができる。
また、ＣＲ機用ユニット３００及び現金機用ユニット３００’の装着構造が互換性を有するとともに、これら以外の部分は賞球排出及び貸球排出に共用されているので、両ユニットのいずれかを選択して装着するのみで異なる用途に対応することができる。したがって、用途変更が容易である。
また、本実施形態のＣＲ機２０１，現金機２０１’においても用途の変更（及び決定）は、製造時或はその後（例えば改造時等）のいずれの場合にも可能である。
さらに、球排出装置異常、切換ソレノイド異常等の各種エラーを緻密に検出し、遊技者等に音声、表示によりエラーを認識させ、リセットスイッチ１１９等の操作、或は、自動により、正常状態への迅速、確実な復帰が可能となる。
【００６４】
＜第２実施形態の変更形態＞
図３９、図４０は上述の第２実施形態におけるコマンド一覧図表及びエラー一覧図表（図２７、図２８参照）の一変更例である。本変更例においては、リセット手段として、発射ハンドル１１に設けられたタッチスイッチ１１ａが兼用されている。すなわち、球排出装置異常や通路切換ソレノイド異常を主制御部１４０の検出により判断した場合の復帰条件としてタッチスイッチ１１ａの状態が設定されており、異常の要因を解消後、タッチスイッチ１１ａに遊技店の関係者や遊技者が接触することにより、図４０の「復帰条件」欄に示すように、通常状態への復帰が行われる。すなわち、（１）球排出装置異常（No.3）で検出場所が主制御部１４０の場合、タッチスイッチ１１ａがＯＦＦからＯＮに変化することで復帰し、（２）球排出装置異常（No.3）で検出場所が枠制御部１５０の場合、主制御部１４０の通常状態を受信することで復帰し、（３）通路切換ソレノイド異常（No.4）で検出場所が主制御部１４０の場合、タッチスイッチ１１ａがＯＦＦからＯＮに変化することで復帰し、（４）通路切換ソレノイド異常（No.4）で検出場所が枠制御部１５０の場合、主制御部１４０の通常状態を受信することで復帰する。また、図示は省略するが、本変更例ではタッチスイッチ１１ａに係る信号が主制御部１４０へも送られる。
そして、図３９に示すように、「球排出装置異常  解除」のコマンド（１５Ｈ）や、「通路切換ソレノイド異常  解除」のコマンド（１７Ｈ）が設定されており、これらのコマンドは、タッチスイッチ１１ａのＯＮ動作に伴い、主制御部１４０から枠制御部１５０へ送信される。
なお、この他の例として、リセット手段として、発射ハンドル１１に内蔵されたスタートスイッチ１１ｃを用いることが挙げられる。このスタートスイッチ１１ｃは、一般の発射ハンドルと同様にタッチスイッチ１１ｂとのＡＮＤ条件を成立させるもので、本実施形態においては、図１９に示す発射装置制御基板１０３ａのハンドル入力用コネクタ（ＣＮ３）に設けられた発射ＳＷ端子（第５端子）に接続されている。
【００６５】
以上、本実施形態と様々な変更形態を説明したが、本発明の技術的思想を逸脱しない範囲において本発明の構成を適宜改変できることは当然であり、このような改変も、本発明の技術的範囲に属するものである。例えば、本発明は、いわゆる権利物、羽根物、アレンジボールと呼ばれている機種、一般電役などの種々の弾球遊技機に適用が可能である。
【００６６】
上記実施形態記載の発明によれば、貸球経路と賞球経路の構成を複雑化することなく、貸球数及び賞球数を正確に把握することができる。特に、貸球及び賞球を区別し、いずれをも検出するため、遊技機が設置される遊技店にとって重要な貸球の情報を、遊技店（いわゆるホールコンピュータ）に正確に提供できる。すなわち、例えば一回の大当りの賞球数を一般的な約2000〜2500個程度とし、一回の貸球数を500円分125個（１球当り4円）とした場合、両者を比較すると、貸球数は賞球数の約5％〜6％強に達する。そして、この貸球の重要性は、一回の大当りの賞球数が少ない遊技機（例えば、特別遊技中の継続回数を7回や10回としたものなど）においては、さらに高まることとなる。また、遊技店の経営管理における損益分岐点は、いわゆるベース（セーフ球とアウト球の数に基づいて算出される経営指標）で約1.4とされており、遊技店にとっては約40％の回収超過が必要とされている。これは、一方的な利益を追求せず、遊技者へ最大限の利益を還元しようとする遊技店ほど貸球数の値を正確に把握することが、経営面で重要となることを意味している。また、一般的に貸球の単価（例えば4円）は、賞球の単価（例えば2円50銭、3円など）より高い。さらに、貸球排出が行われるのは、遊技者が大当りを導く途上にある場合が殆どであるとともに、例えば1日の稼動について考えれば、大当りの発生回数よりも球貸回数の方が多い。このため、貸球数の情報の正確さは、遊技店と遊技者との間のトラブル防止の観点から重要となる。つまり、上記実施形態記載の遊技機によれば、上述のように貸球数及び賞球数を正確に把握することが可能であり、遊技店にとって経営面で有益な情報を正確に提供することが可能となるとともに、トラブルの防止にも寄与する。
【００６７】
また、一旦、遊技店と遊技者との間に賞球や貸球についてのトラブルが生じた場合であっても、貸球通路と賞球通路が分岐し、賞球カウントスイッチと貸球カウントスイッチとが個々に配設されているので、検出構造を視覚的に認識し易く、遊技機を開放して背面の検出構造を遊技者に示すことにより、遊技者の懸念を除くことが可能で、トラブルの早期解決が可能である。さらに、上記実施形態記載の遊技機においては、貸球数及び賞球数の情報をバックアップする機能を装備したため、例えば停電等の異常発生時であっても、貸球及び賞球に係るトラブルの発生防止及び早期解決が可能となる。
【００６８】
一方、上記実施形態記載の遊技機は、異なる遊技機形態である、例えばＣＲ機と現金機共用の共用部を備えた球排出手段を設けたため、ＣＲ機と現金機との間で僅かな変更箇所のみで、当該球排出手段を共用することが可能となる。例えば、遊技機の製造・販売には許認可が必要である一方、遊技機の販売台数は遊技者の嗜好に大きく左右され、非技術的要素により商品サイクルが短期化することも多い。このため、特別な人気機種を除いては商品サイクルが２〜３ヶ月程度となるのが一般的である。そして、製造業者においてはＣＲ機及び現金機を立て続けに許認可申請し、双方の認可を受けた後に集中的に製造・販売することで、短期により多くの商品を出荷できるよう生産計画を立てる場合が多い。したがって、ＣＲ機と現金機との間で構造変更箇所を最小限に抑えなければ、効率的生産ができず、短い商品サイクルの中で開発投資に見合う利益を上げることができない。しかし、上記実施形態記載の遊技機は、ＣＲ機と現金機共用の共用部を備えた球排出手段を設け、単能化手段の装着により非共用部を単能化するため、ＣＲ機と現金機との間で変更箇所を最小限に抑えることが可能であり、生産効率が良く、開発投資に見合った利益を上げることが可能である。
【図面の簡単な説明】
【図１】本発明の実施形態のパチンコ機の正面図である。
【図２】同パチンコ機の遊技盤の正面図である。
【図３】同パチンコ機の裏面図である。
【図４】同パチンコ機の機構盤の裏面図である。
【図５】（ａ）は同パチンコ機をＣＲ機として用いた場合の球流下部及びその周辺の裏面図、（ｂ）は同パチンコ機の球排出装置及びその周辺の側面断面図、（ｃ）は同パチンコ機を現金機として用いた場合の球流下部及びその周辺の裏面図である。
【図６】（ａ）は同パチンコ機のタンクレールの平面図、（ｂ）は同タンクレールの変更形態の平面図である。
【図７】同パチンコ機の球排出装置の変更形態の側面断面図である。
【図８】同パチンコ機の賞球動作の制御手順を示すフローチャートである。
【図９】同パチンコ機の貸球動作の制御手順を示すフローチャートである。
【図１０】（ａ）球排出装置の変更形態の斜視図、（ｂ）は別の変更形態の斜視図である。
【図１１】本実施形態のパチンコ機の電力供給経路を概略的に示すブロック図である。
【図１２】本実施形態のパチンコ機の集中電源部の要部を示すブロック図である。
【図１３】同電源ユニットの変更形態のブロック図である。
【図１４】従来のパチンコ機の主制御基板の斜視図である。
【図１５】従来のパチンコ機の発射装置制御部の分解斜視図である。
【図１６】（ａ）は第２実施形態のパチンコ機のＣＲ機用の球流下部及びその周辺の裏面図、（ｂ）は同パチンコ機の球排出装置及びその周辺の側面断面図、（ｃ）は同パチンコ機の現金機用の球流下部及びその周辺の裏面図である。
【図１７】同実施形態のパチンコ機の賞球動作の制御手順を示すフローチャートである。
【図１８】同実施形態のパチンコ機の貸球動作の制御手順を示すフローチャートである。
【図１９】制御系の接続ブロック図である。
【図２０】パチンコ機の電力供給系路を概略的に示すブロック図である。
【図２１】賞球排出制御における信号伝達方式を概略的に示すブロック図である。
【図２２】貸球排出制御における信号伝達方式を概略的に示すブロック図である。
【図２３】主制御部において実行される入賞管理処理を示すフローチャートである。
【図２４】主制御部において実行される排出数管理処理を示すフローチャートである。
【図２５】枠制御部において実行される割込処理を示すフローチャートである。
【図２６】枠制御部において実行される排出処理を示すフローチャートである。
【図２７】主制御部から枠制御部へ送られるコマンドの一覧図表である。
【図２８】エラーの一覧図表である。
【図２９】正常な状態における処理の一例を示すタイミングフローチャートである。
【図３０】図２９のコマンド受信部分の一部を示す拡大タイミングフローチャートである。
【図３１】主制御部の電源ＯＮ時の処理を示すタイミングフローチャートである。
【図３２】異常データ、切断、コネクタ抜けの場合の処理例を示すタイミングフローチャートである。
【図３３】正常な賞球排出の処理を示すタイミングフローチャートである。
【図３４】賞球排出が途中で滞った場合の処理例を示すタイミングフローチャートである。
【図３５】球排出装置異常の場合であって、且つ、球排出モータが作動しないことを主制御部が検出した場合の処理例を示すタイミングフローチャートである。
【図３６】球排出装置異常の場合であって、且つ、球排出モータが作動しないことを枠制御部が検出した場合の処理例を示すタイミングフローチャートである。
【図３７】通路切換ソレノイド異常の場合であって、且つ、球貸し時に通路切換ソレノイドが作動せず遊技球が賞球側に流下したことを、主制御部が検出した場合の処理例を示すタイミングフローチャートである。
【図３８】通路切換ソレノイド異常の場合であって、且つ、賞球排出時に通路切換ソレノイドが作動せず遊技球が貸球側に流下したことを、枠制御部が検出した場合の処理例を示すタイミングフローチャートである。
【図３９】第２実施形態の変更形態におけるコマンド一覧図表である。
【図４０】第２実施形態の変更形態におけるエラー一覧図表である。
【符号の説明】
１…パチンコ機
６２，１６２…機構盤
６５，６５’，１６５…タンクレール
６７…開口部
６８…上皿導入口
６９…下皿導入口
７０，７０’，１７０…球流下部
７１，７１’，１７１…上流側通路
７１ａ，７１ａ’…第１の通路
７１ｂ，７１ｂ’…第２の通路
７２，７２’…分岐部
７３，７３’，１７３…賞球通路
７４，７４’，１７４…貸球通路
７５，７５’，１７５…遊技球通路
７６，７６’，１７６…球送り部材
７７，７７’１７７…ケース
７８，７８’…賞球カウントスイッチ
７９…貸球カウントスイッチ
８０，１８０…球排出モータ
８１，１８１…シャフト
８２，８２’，８３，８３’，８４，８４’，１８２ａ，１８２ｂ，１８２ｃ…歯車
９６…球排出装置センサ基板
８５，８５’…球流出口
８６，８６’…補給球切れ検知スイッチ、８８…ストッパ蓋
９０，９０’…球切れスイッチレバー、９９，９９’，１９９…球排出装置
【図１】
0003988854.tif 000002
【図２】
0003988854.tif 000003
【図３】
0003988854.tif 000004
【図４】
0003988854.tif 000005
【図５】
0003988854.tif 000006
【図６】
0003988854.tif 000007
【図７】
0003988854.tif 000008
【図８】
0003988854.tif 000009
【図９】
0003988854.tif 000010
【図１０】
0003988854.tif 000011
【図１１】
0003988854.tif 000012
【図１２】
0003988854.tif 000013
【図１３】
0003988854.tif 000014
【図１４】
0003988854.tif 000015
【図１５】
0003988854.tif 000016
【図１６】
0003988854.tif 000017
【図１７】
0003988854.tif 000018
【図１８】
0003988854.tif 000019
【図１９】
0003988854.tif 000020
【図２０】
0003988854.tif 000021
【図２１】
0003988854.tif 000022
【図２２】
0003988854.tif 000023
【図２３】
0003988854.tif 000024
【図２４】
0003988854.tif 000025
【図２５】
0003988854.tif 000026
【図２６】
0003988854.tif 000027
【図２７】
0003988854.tif 000028
【図２８】
0003988854.tif 000029
【図２９】
0003988854.tif 000030
【図３０】
0003988854.tif 000031
【図３１】
0003988854.tif 000032
【図３２】
0003988854.tif 000033
【図３３】
0003988854.tif 000034
【図３４】
0003988854.tif 000035
【図３５】
0003988854.tif 000036
【図３６】
0003988854.tif 000037
【図３７】
0003988854.tif 000038
【図３８】
0003988854.tif 000039
【図３９】
0003988854.tif 000040
【図４０】
0003988854.tif 000041